(57)【要約】【課題】本発明は、長年の使用によっても経年変化を起こすことがなく、防火性能の急激な低下もなく、防火性能自体も従来の防火扉装置にもまして向上させることが出来、もって防火性能の極めて高くかつ重量を軽量化し、他の木製調度品との調和もなされ、木製の強力な防火扉を有する木製金庫を提供することを目的とする。【解決手段】本発明は、第１集成材を略１３ｍｍの厚さと第２集成材を略９ｍｍの厚さに形成し、第１集成材の裏面に接着し、第１集成材の表面には第１不燃紙を接着して防火扉の芯材ユニットを生成して、芯材ユニットを第２集成材同士が対向するよう一対配置して第２不燃紙を介して接着し、防火扉の芯材を形成し、芯材の両側面には耐火シートを挟んで化粧合板を貼着し、芯材の外周端面には大手材を取り付けて、防火扉を形成し、枠組みされた枠体の前面に防火扉を取り付けて木製金庫を形成したことを特徴とする。【選択図】    図１
2017044025.tif 000002
【特許請求の範囲】
【請求項１】
単板を繊維方向に平行して積層接着し生成した桐の第１集成材を略１３ｍｍの厚さに形成し、前記繊維方向が垂直方向となるよう配置すると共に、単板を繊維方向に平行して積層接着し生成した桐の第２集成材を略９ｍｍの厚さに形成し、繊維方向が水平方向となるよう配置して、前記第１集成材の裏面に接着し、前記第１集成材の表面には第１不燃紙を接着して、防火扉の芯材ユニットを生成してなり、
次いで、前記芯材ユニットを、前記第２集成材同士が、繊維方向を同じくして対向するよう一対配置して該第２集成材同士を第２不燃紙を介して接着し、防火扉の芯材を形成し、前記芯材の両側面には、耐火シートを挟んで化粧合板を貼着し、芯材の外周端面には、加熱膨張材を介在させて化粧ガラス繊維混入珪酸マグネシウム板よりなる燃焼遅延部材より構成された大手材を取り付けて、防火扉を形成し、
両側面材、底面材、上面材及び背面材により略ケース状に枠組みされた枠体の前面に前記防火扉を取り付けて木製金庫を形成した、
ことを特徴とする強力木製防火扉を有する木製金庫。
【請求項２】
前記略ケース状に枠組みされた枠体の両側面材、底面材、上面材及び背面材は、前記１３ｍｍの桐の第１集成材を複数枚積層して形成した、
ことを特徴とする請求項１記載の強力木製防火扉を有する木製金庫。
【請求項３】
前記芯材の両側面には、不燃紙及び耐火シートが、不燃紙、次に耐火シートの順で貼着された、
ことを特徴とする請求項１または請求項２記載の強力木製防火扉を有する木製金庫。
【発明の詳細な説明】
【技術分野】
【０００１】
本発明は、主に、木製の一般住宅、集合住宅、旅館など和風家屋において使用される強力木製防火扉を有する木製金庫に関するものである。
【背景技術】
【０００２】
従来、例えば、金庫などに使用される防火扉としては、防火扉を金属製で形成されたものが一般的に知られていた。
しかし、金属製の防火扉を使用した防火扉装置は丈夫ではあるが、扉自体の重量がきわめて重く、しかも高熱によって防火扉自体が反ってしまい、該金属製防火扉装置の防火性能に疑問が向けられていた。
さらに、輻射熱が一般の木製扉に比較して５〜８倍と高熱化するなどの課題があった。
【０００３】
ところで、近年において、木製の一般住宅、集合住宅、旅館など和風家屋においては、他の木製調度品との関係から、金属製の金庫を設置するより、木製の金庫を設置したいとの要請が高まっている。さらに、木製の強力な防火扉を有する木製金庫については、さらに要請が強くなっていた。
【先行技術文献】
【特許文献】
【０００４】
【特許文献１】特開２００４−２３２４４９号公報
【発明の概要】
【発明が解決しようとする課題】
【０００５】
しかしながら、木製の防火扉は、長年の使用によって経年変化を起こし、もって防火性能の急激な低下がみられ、あるいは、防火性能自体にも課題がある。
さらに、従来からの木製防火扉は、その耐火時間が約２０分と短く、いわゆる２０分防火扉と称されていた。
【０００６】
そこで、近年では木製の防火扉で、重量も比較軽量で、しかもその耐火時間も６０分以上と比較的長時間耐火性を有する防火扉が要請され、この様な強力木製防火扉を有する木製金庫の開発が要請されるに至ったのである。
【０００７】
かくして、本発明は前記従来の要請にこたえ、かつ従来からの課題を解消するために創案されたものであり、長年の使用によっても経年変化を起こすことがなく、よって防火性能の急激な低下もなく、しかも防火性能自体も従来の木製の防火扉装置や金属製防火扉装置にもまして向上させることが出来、もって防火性能の極めて高い、すなわち耐火時間を６０分以上と長時間の耐火時間を可能とし、かつ重量を軽量化し、木製の一般住宅、集合住宅、旅館など和風家屋において、設置した際の違和感がなく、他の木製調度品との調和もなされ、さらに、木製の強力な防火扉、いわゆる６０分防火扉と称される木製金庫を提供することを目的とするものである。
【課題を解決するための手段】
【０００８】
本発明による強力木製防火扉を有する木製金庫は、
単板を繊維方向に平行して積層接着し生成した桐の第１集成材を略１３ｍｍの厚さに形成し、前記繊維方向が垂直方向となるよう配置すると共に、単板を繊維方向に平行して積層接着し生成した桐の第２集成材を略９ｍｍの厚さに形成し、繊維方向が水平方向となるよう配置して、前記第１集成材の裏面に接着し、前記第１集成材の表面には第１不燃紙を接着して、防火扉の芯材ユニットを生成してなり、
次いで、前記芯材ユニットを、前記第２集成材同士が、繊維方向を同じくして対向するよう一対配置して該第２集成材同士を第２不燃紙を介して接着し、防火扉の芯材を形成し、前記芯材の両側面には、耐火シートを挟んで化粧合板を貼着し、芯材の外周端面には、化粧ガラス繊維混入珪酸マグネシウム板よりなる燃焼遅延部材より構成された大手材を取り付けて、防火扉を形成し、
両側面材、底面材、上面材及び背面材により略ケース状に枠組みされた枠体の前面に前記防火扉を取り付けて木製金庫を形成した、
ことを特徴とし、
または、
前記略ケース状に枠組みされた枠体の両側面材、底面材、上面材及び背面材は、前記１３ｍｍの桐の第１集成材を複数枚積層して形成した、
ことを特徴とし、
または、
前記芯材の両側面には、不燃紙及び耐火シートが、不燃紙、次に耐火シートの順で貼着された、
ことを特徴とするものである。
【発明の効果】
【０００９】
本発明による強力木製防火扉を有する木製金庫によれば、木製の防火扉で、重量も比較軽量で、しかもその耐火時間も６０分以上と比較的長時間耐火性を有し、しかも、長年の使用によっても経年変化を起こすことがなく、よって防火性能の急激な低下もなく、防火性能自体も従来の木製の防火扉や金属製防火扉にもまして向上させることが出来、もって防火性能の極めて高い、すなわち耐火時間を６０分以上と長時間の耐火時間を可能とし、かつ重量を軽量化し、さらに、木製の一般住宅、集合住宅、旅館など和風家屋において、設置した際の違和感がなく、他の木製調度品との調和もなされ、いわゆる６０分防火扉と称される強力木製防火扉を有する木製金庫を提供できるとの優れた効果を奏する。
【発明を実施するための最良の形態】
【００１０】
以下本発明を図に基づいて説明する。
【００１１】
まず、木製の防火扉１について説明する。
ここで、木製の防火扉１は、複数枚の桐の集成板から構成された芯材２を有して形成される。
本発明による芯材２を構成する桐の集成材は、非常に軽く、また割れや狂いが少ないので加工性の良い集成材として知られている。
また、表面を磨くと光沢が出て、美しく仕上がる。さらに、断熱性があり燃えにくい木なので、近年防火扉などと共に、防火性を有した小物入れや家具など箱物に使われている。
【００１２】
なお、前記芯材２の外周端面には、大手材３が取り付けられるものとなる。該大手材３の材質としては、例えば化粧ガラス繊維混入珪酸マグネシウム板などが用いられる。また、芯材２の外周端面と大手材３との間には加熱膨張材１５が介在されている。加熱膨張材１５としては膨張製スポンジ材あるいは膨張製ゴム材などが使用される。
【００１３】
また、この芯材２の両側面には燃焼遅延部材より構成された不燃紙８と耐火シート４などが貼着される。ここで、不燃紙８は、略１ｍｍ程度の厚さからなり、例えば珪酸マグネシウム、パルプ、ガラス繊維他等により構成される。
耐火シート４は、略０．６ｍｍ程度の厚さを有し、その材質は、例えばシリカクロスなどが用いられる。
【００１４】
しかして、この不燃紙８及び耐火シート４は、芯材２の両側面に、例えば、不燃紙８、次に耐火シート４の順で貼着され、かつその外側に化粧合板５が接着材、例えばエポキシを介して貼着され、木製の防火扉１が形成されるものとなる。
【００１５】
本発明による木製の防火扉１の製造につき説明する。
【００１６】
まず、繊維方向に平行して積層させ接着させて桐の第１集成材６を生成する。そして、この生成した桐の第１集成材６を、その繊維方向が垂直方向となるように方向を定めて配置する。ここでこの桐の第１集成材６の厚さであるが、後述する桐の第２集成材７の厚さよりも厚く形成してある。
例えば、後述する桐の第２集成材７の厚みが略９ｍｍ程度であれば、桐の第１集成材６の厚みは略１３ｍｍ程度にするがごときである。
【００１７】
次いで、単板を繊維方向に平行して積層させ接着させて厚みが前記桐の第１集成材６より薄く形成された桐の第２集成材７を生成する。
【００１８】
そして、該第２集成材７を繊維方向が水平方向となるよう定めて配置し、前記第１集成材６の裏面に、前記方向を定めた桐の第２集成材７を接着する。
第１集成材６の厚みは第２集成材７の厚みより厚く形成しておくことがポイントとなる。
【００１９】
次に、前記第１集成材６の表面には、前述の不燃紙８、耐火シー４を接着して、防火扉１用の芯材ユニットとする。
さらに、この生成した前記芯材ユニットを、前記第２集成材７同士が対向するよう一対配置し、次いで該芯材ユニットにおける第２集成材７同士を例えばその厚みが略０．２５ｍｍ程度の珪酸マグネシウム、パルプ、ガラス繊維他等により構成された第２不燃紙９を介して接着し、４枚重ねとなる防火扉用の芯材２を形成するのである。
【００２０】
しかして、本発明での防火扉１用の芯材２は、桐の第１集成材６と桐の第２集成材７とを２枚重ねにして、芯材ユニットを製造しておき、その芯材ユニットを前記の第２不燃紙９を介して重ね合わせて４枚重ねとし、さらに、厚みの厚い第１集成材６側を表面側に、厚みの薄い第２集成材７側を内側に配置し、より防火性能アップに考慮した芯材２としてある。
【００２１】
しかも、前述のように、繊維方向を垂直方向にした桐の第１集成材６と、繊維方向を水平方向にした桐の第２集成材７とを、前記繊維方向を略直角法に交差させた状態にして接着し、かつこれらを２セットにしてさらに接着してあるため、芯材２として防火性能をアップしてあると共に、防火扉１としての強度も格段に向上させてあるものとした。
【００２２】
しかも、芯材２の両外側面には、前述したように、例えば、不燃紙８、次に耐火シート4の順で貼着され、かつその外側に化粧合板５が接着材、例えばエポキシを介して貼着されている。
これにより構成した木製の防火扉１では、従来に比較し、６０分以上の耐火時間を獲得出来るものとなった。
【００２３】
しかして、該防火扉１における芯材２の外周端面には、化粧ガラス繊維混入珪酸マグネシウム板よりなる燃焼遅延部材より構成された大手材３を取り付けて、防火扉１としてある。
【００２４】
本発明の木製金庫１０は、両側面材１１、底面材１２、上面材１３及び背面材１４により略ケース状に枠組みされた枠体の前面に前記防火扉１を取り付けて形成されている。尚、該防火扉１には、電気式補助錠１６を取り付けておくものとする。
【００２５】
そして、これら両側面材１１、底面材１２、上面材１３及び背面材１４は、前記１３ｍｍの桐の第１集成材を複数枚、例えば３枚程度積層して形成されている。
さらに、その中には不燃紙８や耐火シート４が介在してあり、防火扉１のみならず、金庫を構成する枠体自体にも防火性能を持たせて形成した特徴を有する。
【００２６】
次に、本発明による強力木製防火扉を有する木製金庫の使用状態につき説明する。
【００２７】
まず、本発明では、火災発生時に火や熱をトラップするという防火性能を有する扉として好適に用いられる木製の防火扉１の芯材２の形成につき、前述のような発明の提案を行った。すなわち、厚みの異なる桐の第１集成材６と桐の第２集成材７より芯材ユニットを形成した。そしてこの芯材ユニットをさらに一対重ねて接着し、独自の桐の集成材４枚重ねの芯材２とした。しかも、その中に複数枚の不燃紙８や耐火シート４を介在させている。
この様に構成し、しかも熱伝導性の低い桐の集成材で製造することで、一段と断熱性や防火性能を高くしたのである。
【００２８】
すなわち、本発明による強力木製防火扉を有する木製金庫の表面側を８００度近い高熱で燃やしても非加熱側、すなわち金庫の内部は手が触れられるほどの温度である。従来の金属製金庫は、高熱によって変形するし、金属自体が高熱になると大変危険である。
【００２９】
また、 本発明による強力木製防火扉を有する木製金庫は、独自の桐の集成材を使用した防火扉１の芯材２とその中に介在させた複数の不燃紙８、９や耐火シート４とを組み合わせることにより大幅に向上した防火性能を発揮するものである。
【００３０】
従来の木製芯材についてはＭＤＦなどの木質板が多用されているが、重量が１００ｋｇ程度とかなり重くなる。また、一般的な金属製の防火用スチール扉も７０ｋｇ程度の重さがあり、年少者や高齢者はもちろん、一般の方にとっても開閉性などの使い勝手にやや難がある。
【００３１】
しかして、本発明による強力木製防火扉を有する木製金庫は、芯材２に厚みを異ならせた４枚重ねの桐の集成材を使用しており、その厚みの割には前記の不燃紙８、９や耐火シート４などを含めても重さが軽量となり、搬入や取り付けが容易で建物躯体への負担も軽く、使用がスムーズなのである。
【００３２】
さらに、桐の集成材からなる芯材２は比較的低音を吸収し、かつ耐火シート４は高音を反射する。よって、遮音性能も高水準となっている。
その他、スチール防火ドアを上回る耐熱・断熱性があり、かつ燃えにくく、煙が発生しないし、熱による反りがない。すなわち、炎熱による反りが起こらず、煙・炎をシャットアウトする。
また、歪みにくい剛性を有し、劣化がほとんどない桐の集成材を使用して、高い剛性の複合構造することも相まって耐久性が向上している。
【００３３】
冷暖房の省エネ効果と遮音性を高め、経年変化に強い。逆に桐の集成材は吸湿や温度変化による変形がなく、年数が経つほど材質が引き締まって強さを増すこととなる。
しかも、調湿機能を有する桐の抗菌効果で腐らず、丈夫で衛生面も安心となる。
さらに、地球環境にも配慮し、すべて植林材である桐が使用され、貴重な森林資源と地球環境にも配慮している。 
【図面の簡単な説明】
【００３４】
【図１】本発明による木製金庫の構成説明図（１）である。
【図２】本発明による木製金庫の構成説明図（２）である。
【図３】本発明による木製金庫の構成説明図（３）である。
【図４】本発明による木製金庫の構成説明図（４）である。
【図５】防火扉の構成を説明する構成説明図である。
【符号の説明】
【００３５】
１     防火扉
２     芯材
３     大手材
４     耐火シート
５     化粧合板
６     第１集成材
７     第２集成材
８     不燃紙
９     第２不燃紙
１０   木製金庫
１１   側面材 
１２   底面材
１３   上面材
１４   背面材
１５   加熱膨張材
１６   電気式補助錠
【図１】
2017044025.tif 000003
【図２】
2017044025.tif 000004
【図３】
2017044025.tif 000005
【図４】
2017044025.tif 000006
【図５】
2017044025.tif 000007